(57)【要約】      （修正有）【課題】負傷した腕、肘、手首を吊り上げ保持、保護する動作を片手で容易におこなえるように、衣服に面テープを縫いつけた腕吊り保持保護用面テープつき衣服を提供する。【解決手段】衣服１の前身頃から肩後部まで左右に面テープ２、３を縫いつけ、もう一方の面テープ４、５を面テープ２、３の前身頃下部左右に縫いつけた腕吊り保持保護用面テープつき衣服である。【選択図】図４
0003140238.tif 000002
【実用新案登録請求の範囲】
【請求項１】
衣服に面テープ（オス側とメス側）を縫いつけ腕、肘、手首を吊り保持、保護するようにしたものである。
【考案の詳細な説明】
【技術分野】
【０００１】  本考案は腕、肘、手首を負傷したとき、吊り上げ保持、保護し横臥、リハビリ、トレーニングを容易に行えるようにしたものである。
【背景技術】
【０００２】  三角巾を使用すると、首から吊り下げるために首筋や肩が痛くなる。腕、肘、手首の位置を変えるときに片手で解く、結ぶことができない。横臥、リハビリ、トレーニングするとき腕、肘、手首が振れる、動くなどして容易にできなかった。
【考案の開示】
【考案が解決しょうとする課題】
【０００３】  三角巾の首からの吊り下げや結び、解く動作を解消し、横臥、リハビリ、トレーニングに適した形態で腕、肘、手首を片手で保持保護することができるようにしたものでる。
【課題を解決するための手段】
【０００４】  本考案は、衣服に面テープ（オス側）を前身頃から肩後部左右と、面テープ（メス側）をその下左右の前身頃、そして袖左右にも縫いつけ、袖の左か右の負傷した腕、肘、手首の方をくっつけて吊り上げ保持、保護する動作を片手で行えるようにしたものである。
【考案の効果】
【０００５】  本考案は三角巾の首からの吊り下げではなく衣服の胸、袖、双肩に縫いつけた面テープを使用するので首筋の負担解消、結ぶ、解く必要もなく、腕、肘、手首も、横臥、リハビリ、トレーニングの方法に適したように片手で簡単に調整できる。
【考案の実施するための最良の形態】
【０００６】  衣服に面テープ（オス側）を左右の前身頃から肩後部まで縫いつける、そしてもう一方の面テープ（メス側）を先に縫いつけた前身頃の左右下に縫いつけ、面テープが取りつくようにする。又、衣服前身頃から肩後部まで縫いつけた左右の面テープ（オス側）の間に面テープ（オス側）を縫いつけ面テープをクロスして腕、肘、手首を保持、保護するときに使用する。そして衣服袖の左右にも腕、肘、手首を保持、保護しやすいように面テープ（メス側）を縫いつける。
【実施例】
【０００７】  以下、図面に示す実施例について説明する。
１は衣服で２は面テープ左（オス側）、３は面テープ右（オス側）を前身頃から肩後部まで縫いつけ、４は面テープ左下（メス側）、５は面テープ右下（メス側）を２と３の前身頃下部に腕、肘、手首を保持、保護できるように縫いつける。６は面テープ肩後（オス側）で４と５をクロス使用した時に用いる。７は面テープ左袖（メス側）、８は面テープ右袖（メス側）で負傷した腕、肘、手首の袖を２と３にくっつけて４と５で被い保持、保護する。
【図面の簡単な説明】
【０００８】
【図１】  衣服の前身頃左右に面テープ（オス側）を縫いつけた衣服前面図である。
【図２】  衣服の前身頃左右に縫いつけた面テープ（オス側）の下部に腕、肘、手首を保持、保護する面テープ（メス側）を縫いつけた衣服前面下部図である。
【図３】  衣服の肩後部に面テープ（オス側）と袖左右に面テープ（メス側）を縫いつけた衣服後面図である。
【図４】  衣服に縫いつけた面テープ（オス側）に左袖面テープ（メス側）と前身頃下部の面テープ（メス側）で左腕を吊り上げ保持、保護した前面図である。
【図５】  吊り上げた左腕、肘、手首を左袖面テープ（メス側）と前身頃左右下面テープ（メス側）をクロスして保持、保護した前面図である。
【図６】  クロスして使用した面テープ（メス側）を肩後部の面テープ（オス側）に取りつけたところと右袖に面テープ（メス側）を縫いつけた後面図である。
【符号の説明】
【０００９】    １  衣服
２  面テープ左（オス側）
３  面テープ右（オス側）
４  面テープ左下（メス側）
５  面テープ右下（メス側）
６  面テープ肩後（オス側）
７  面テープ左袖（メス側）
８  面テープ右袖（メス側）
【図１】
0003140238.tif 000003
【図２】
0003140238.tif 000004
【図３】
0003140238.tif 000005
【図４】
0003140238.tif 000006
【図５】
0003140238.tif 000007
【図６】
0003140238.tif 000008
【手続補正書】
【提出日】平成19年11月29日(2007.11.29)
【手続補正１】
【補正対象書類名】図面
【補正対象項目名】全図
【補正方法】変更
【補正の内容】
【図１】
0003140238.tif 000009
【図２】
0003140238.tif 000010
【図３】
0003140238.tif 000011
【図４】
0003140238.tif 000012
【手続補正書】
【提出日】平成19年11月29日(2007.11.29)
【手続補正１】
【補正対象書類名】実用新案登録請求の範囲
【補正対象項目名】全文
【補正方法】変更
【補正の内容】
【実用新案登録請求の範囲】
【請求項１】
衣服に面テープオスと面テープメスを縫い付けて、その着脱自在に咬合できる機能をもって、片手で腕、肘、手首を吊り保持、保護することを特徴とした腕吊り保持保護用面テープつき衣服。
【手続補正書】
【提出日】平成19年11月29日(2007.11.29)
【手続補正１】
【補正対象書類名】明細書
【補正対象項目名】全文
【補正方法】変更
【補正の内容】
【考案の詳細な説明】
【技術分野】
【０００１】  本考案は、腕、肘、手首を吊り上げ保持、保護することに関する、腕吊り保持保護用面テープつき衣服である。
【背景技術】
【０００２】従来、腕や手首を骨折、マヒしたときは、三角巾で結び首に吊り下げていた。
【考案の開示】
【考案が解決しょうとする課題】
【０００３】  三角巾の使用は片手では困難であり、首から吊り下げることにより首筋に負担がかかる、さらに、リハビリ、トレーニングする時、腕、肘、手首が振れることにより難儀があった。従って、面テープを衣服に縫い付け、その着脱自在に咬合できる機能をもって、前述の欠点を解決しょうとするものである。
【課題を解決するための手段】
【０００４】  本考案は、衣服に面テープオスを前身頃から肩部までの左右と、その間の肩部、そして、面テープメスを左袖と右袖、更に、前身頃左右の面テープオスの下部に面テープメスの端部を縫い付けて、負傷した腕をもう片方の手で持ち、袖の面テープメスを前身頃の面テープオスに咬合し、そして、前身頃下部の面テープメス左と右で覆うようにして肩部の面テープオスに咬合することにより問題点を解決するものでる。
【考案の効果】
【０００５】上述の様に、本考案の腕吊り保持保護用面テープつき衣服は、三角巾の首からの吊り下げではなく、衣服の前身頃、袖、肩部に縫い付けた面テープを前身頃及び肩部で咬合して腕を吊り保持するので、首筋の負担解消、結ぶ、解く必要もなく、リハビリ、トレーニング時の腕振れ防止にも対応でき、片手で着脱自在に腕を吊り、肘、手首の保持、保護ができる。
【考案の実施するための最良の形態】
【０００６】  衣服の前身頃から肩部までの左右とその間の肩部に縫い付けた面テープオスに負傷した腕をもう片方の手で持ち上げ、袖に縫い付けた面テープメスと咬合させておいて、前身頃下部左右に端部を縫い付けた面テープメス左と右を覆うようにして、肩部で、面テープオスと咬合する。又、肩部左右の間の面テープオスは、リハビリ、トレーニング時の腕振れ防止する形態で、前身頃下部左右の面テープメスで腕を吊り、肘、手首を保持、保護する時に使用して咬合する。
【実施例】
【０００７】  以下、図面に示す実施例について説明する。先ず、本考案の使用した面テープの素材はメス、オスともナイロン系等素材である。１は衣服で２は面テープオス左、３は面テープオス右を衣服１の前身頃から肩部までの左右に縫い付け、４は面テープメス左、５は面テープメス右で、先に縫い付けた２と３の前身頃下部に、その面テープメスの端部を縫い付ける。７は面テープメス左袖、８は面テープメス右袖で、衣服１の左右の袖にぬいつけて、負傷した腕をもう片方の手で持ち、７の面テープメス左袖か８の面テープ右袖を前身頃の２と３の面テープオスに咬合しておいて、４と５の面テープメスで覆うように２と３の面テープオスの肩部で咬介して腕、肘、手首を保持、保護する。６は面テープオス肩で２と３の間の肩部に縫い付け、４と５の面テープメスの使用方法によって用いる。
【図面の簡単な説明】、【０００８】
【図１】本考案の実施の形態の衣服に面テープオスとメスを縫い付けた正面図である。
【図２】本考案の実施の形態の面テープメスの咬合する方向を示す左側面図である。
【図３】本考案の衣服に面テープオスとメスを縫い付けた背面図である。
【図４】本考案の実施の形態の袖を面テープで覆い咬合した説明図である。
【符号の説明】
【０００９】  １  衣服  ２  面テープオス左  ３  面テープオス右  ４  面テープメス左  ５  面テープメス右  ６  面テープオス肩  ７  面テープメス左袖  ８  面テープメス右袖